(57)【特許請求の範囲】
【請求項１】
上翼板（１６）と、下翼板（１７）と、前記上翼板及び前記下翼板を連結する案内柱（１９）と、前記上翼板の上面に立設される第１及び第２引手取付柱（２０，２１）と、を有し、一対のファスナーエレメントを噛合・分離させるスライダー本体（１１）と、
前記第１及び第２引手取付柱に取り付けられる引手（１２）と、
前記第１及び第２引手取付柱間に配置され、一端に停止爪（１３ａ）を有するばね部（１３）と、
前記スライダー本体に取り付けられ、前記第１及び第２引手取付柱、及び前記ばね部を被覆するカバー体（１４）と、を備えるスライドファスナー用スライダー（１０）であって、
前記引手（１２）は、軸部（４１）と、前記軸部に連結される一対の連結杆（４２）と、前記一対の連結杆に連結される操作部（４３）と、を有し、
前記軸部にカム部（４５）が設けられ、前記引手を前記スライダー本体の一方側に平伏する平伏状態から起立状態に回動するとき、前記カム部を利用して、前記ばね部の弾性力により前記引手を前記平伏状態に戻す方向に付勢させており、
前記起立状態からの前記引手の更なる回動を阻止し、前記引手が前記スライダー本体の他方側に平伏することを阻止する規制部（４６，３４，５６，１６）を更に備え、
前記規制部は、
前記引手（１２）に形成される引手側規制部（４６）と、
前記カバー体（１４）に形成されるカバー体側規制部（３４）と、から構成され、
前記引手側規制部と前記カバー体側規制部が当接することにより、前記引手の前記起立状態からの更なる回動を阻止し、
前記カバー体（１４）は、前端部に配置される広幅部（３１）と、前記広幅部から後方に延設される細幅部（３２）と、を有し、
前記カバー体側規制部（３４）は、前記細幅部よりも幅方向外側に延設される前記広幅部の肩部（３３）に設けられ、
前記引手側規制部（４６）は、前記連結杆（４２）の上面に設けられる突起部であることを特徴とするスライドファスナー用スライダー。
【請求項２】
前記規制部は、前記ばね部（１３）と前記カム部（４５）との接触位置が、前記カム部のカム面（４５ｃ）の始点（ＳＰ）から終点（ＥＰ）の範囲内において、前記引手（１２）の回動を阻止することを特徴とする請求項１に記載のスライドファスナー用スライダー。
【請求項３】
前記カム部（４５）は、中心軸を有する前記軸部（４１）よりも前記操作部（４３）側に膨出した膨出部を有し、
前記膨出部は、前記引手の上面側から下面側にかけて下り傾斜した傾斜面（４５ｂ）を有し、
前記カム面（４５ｃ）は、前記傾斜面の範囲内にあることを特徴とする請求項２に記載のスライドファスナー用スライダー。
【請求項４】
前記カム部（４５）は、前記引手（１２）の上面側に形成される平坦面（４５ａ）と、前記操作部（４３）と対向する面に形成される前記傾斜面（４５ｂ）と、を有し、
前記ばね部（１３）によって前記平坦面の前記カム面（４５ｃ）側のみが弾性的に付勢されることを特徴とする請求項３に記載のスライドファスナー用スライダー。
【請求項５】
前記カバー体（１４）の少なくとも前記案内柱（１９）側の前端部を構成する輪郭は、前記上翼板（１６）の前端部を構成する輪郭と同一形状に形成されることを特徴とする請求項１〜４のいずれか１項に記載のスライドファスナー用スライダー。
【請求項６】
前記広幅部（３１）は、前記細幅部（３２）よりも左右方向に延びる前側天板（３１ａ）と、前記前側天板の前端縁から下方に延びる前面板（３１ｂ）と、前記前側天板の両側縁から下方に延びる左右一対の前側側面板（３１ｃ）と、前記細幅部よりも幅方向外側に延設され、前記前側天板の後端縁から下方にそれぞれ延びる側方後面板（３１ｄ）と、を有し、
前記肩部（３３）は、前記側方後面板に形成されることを特徴とする請求項１〜５のいずれか１項に記載のスライドファスナー用スライダー。
【請求項７】
前記細幅部（３２）の側面に、前記引手（１２）の前記軸部（４１）を挿通可能な挿通孔（３２ｅ）が設けられ、
前記引手が前記平伏状態にあるとき、前記引手の少なくとも前記連結杆（４２）の上面の位置が前記引手の前記軸部の上端以上であって、前記カバー体（１４）の上面以下となることを特徴とする請求項１〜６のいずれか１項に記載のスライドファスナー用スライダー。
【請求項８】
前記カバー体側規制部（３４）が前記カバー体（１４）の前記肩部（３３）に設けられ、前記スライダー本体（１１）の前端部から後端部に向けて延びる傾斜面であることを特徴とする請求項１〜７のいずれか１項に記載のスライドファスナー用スライダー。
【発明の詳細な説明】
【技術分野】
【０００１】
本発明は、スライドファスナー用スライダーに関し、より詳細には、通常時、即ち、スライダーの摺動を行わないとき、スライダー本体に対して引手が平伏状態に保持されるスライドファスナー用スライダーに関する。
【背景技術】
【０００２】
従来のスライドファスナー用スライダーとして、スライダー本体と、スライダー本体の上翼板の上面に立設される左右一対の引手取付柱に取り付けられる引手と、左右一対の引手取付柱間に配置され、一端に停止爪を有するばね部と、を備えるものが知られている（例えば、特許文献１参照）。【０００３】
また、従来では、スライダー本体に対して引手を平伏状態に保持するようにしたスライドファスナー用スライダーが知られている（例えば、特許文献２参照）。この特許文献２に記載のスライドファスナー用スライダーは、スライダー本体の上翼板から突出する軸受に引手を介してピンを嵌挿し、このピンにヒンジばねを設置することにより、ヒンジばねの弾性力で引手を常に平伏状態に維持する。また、スライダー本体、ばね付き停止爪、カム面が設けられる引手、カム面に弾性力を付与する板ばね、及びスライダー本体に嵌合して板ばねを収容するカバー体を備え、カム面に作用する板ばねの弾性力により、引手を常に平伏状態に維持する。
【先行技術文献】
【特許文献】
【０００４】
【特許文献１】国際公開第２０１０／０７０７４４号
【特許文献２】日本国特開平３−２９５５０２号公報
【発明の概要】
【発明が解決しようとする課題】
【０００５】
しかしながら、特許文献１に記載のスライドファスナー用スライダーでは、引手取付柱やばね部が外部に露出しているため、スライダーの外観性を低下すると共に、手触りが悪くなるという課題があった。さらに、ばね部が外部に露出している場合、ばね部が外部からの衝撃などを受ける可能性が高く、ばね部が損傷してしまう可能性があった。【０００６】
また、特許文献２に記載のスライドファスナー用スライダーは、構造が複雑であり、また、ヒンジばねを設置可能とするためスライダーが大型化して重量が大きく、小型化することが困難であった。また、自動組み立てを考慮した形状になっておらず、人手による組付け作業となるため、大量生産することが困難であった。また、停止爪がスライダー本体の上翼板に収納される構造になっているので、重量が比較的大きくなってしまっていた。また、カバー体の具体的な取付構造については一切記載されておらず、引手に強い力が加わるとカバー体が外れてしまう可能性があった。【０００７】
本発明は、前述した事情に鑑みてなされたものであり、その目的は、スライダーの外観性を向上することができると共に、手触りを良くすることができ、また、ばね部の変形を防止することができ、また、スライダーの構造を簡素化して、小型化及び軽量化することができるスライドファスナー用スライダーを提供することにある。
【課題を解決するための手段】
【０００８】
本発明の上記目的は、下記の構成により達成される。
（１）上翼板と、下翼板と、上翼板及び下翼板を連結する案内柱と、上翼板の上面に立設される第１及び第２引手取付柱と、を有し、一対のファスナーエレメントを噛合・分離させるスライダー本体と、第１及び第２引手取付柱に取り付けられる引手と、第１及び第２引手取付柱間に配置され、一端に停止爪を有するばね部と、スライダー本体に取り付けられ、第１及び第２引手取付柱、及びばね部を被覆するカバー体と、を備えるスライドファスナー用スライダーであって、引手は、軸部と、軸部に連結される一対の連結杆と、一対の連結杆に連結される操作部と、を有し、軸部にカム部が設けられ、引手をスライダー本体の一方側に平伏する平伏状態から起立状態に回動するとき、カム部を利用して、ばね部の弾性力により引手を平伏状態に戻す方向に付勢させており、起立状態からの引手の更なる回動を阻止し、引手がスライダー本体の他方側に平伏することを阻止する規制部を更に備え、規制部は、引手に形成される引手側規制部と、カバー体に形成されるカバー体側規制部と、から構成され、引手側規制部とカバー体側規制部が当接することにより、引手の起立状態からの更なる回動を阻止し、カバー体は、前端部に配置される広幅部と、広幅部から後方に延設される細幅部と、を有し、カバー体側規制部は、細幅部よりも幅方向外側に延設される広幅部の肩部に設けられ、引手側規制部は、連結杆の上面に設けられる突起部であることを特徴とするスライドファスナー用スライダー。
（２）規制部は、ばね部とカム部との接触位置が、カム部のカム面の始点から終点の範囲内において、引手の回動を阻止することを特徴とする（１）に記載のスライドファスナー用スライダー。
（３）カム部は、中心軸を有する軸部よりも操作部側に膨出した膨出部を有し、膨出部は、引手の上面側から下面側にかけて下り傾斜した傾斜面を有し、カム面は、傾斜面の範囲内にあることを特徴とする（２）に記載のスライドファスナー用スライダー。
（４）カム部は、引手の上面側に形成される平坦面と、操作部と対向する面に形成される傾斜面と、を有し、ばね部によって平坦面のカム面側のみが弾性的に付勢されることを特徴とする（３）に記載のスライドファスナー用スライダー。
（５）カバー体の少なくとも案内柱側の前端部を構成する輪郭は、上翼板の前端部を構成する輪郭と同一形状に形成されることを特徴とする（１）〜（４）のいずれか１つに記載のスライドファスナー用スライダー。
（６）広幅部は、細幅部よりも左右方向に延びる前側天板と、前側天板の前端縁から下方に延びる前面板と、前側天板の両側縁から下方に延びる左右一対の前側側面板と、細幅部よりも幅方向外側に延設され、前側天板の後端縁から下方にそれぞれ延びる側方後面板と、を有し、肩部は、側方後面板に形成されることを特徴とする（１）〜（５）のいずれか１つに記載のスライドファスナー用スライダー。
（７）細幅部の側面に、引手の軸部を挿通可能な挿通孔が設けられ、引手が平伏状態にあるとき、引手の少なくとも連結杆の上面の位置が引手の軸部の上端以上であって、カバー体の上面以下となることを特徴とする（１）〜（６）のいずれか１つに記載のスライドファスナー用スライダー。
（８）カバー体側規制部がカバー体の肩部に設けられ、スライダー本体の前端部から後端部に向けて延びる傾斜面であることを特徴とする（１）〜（７）のいずれか１つに記載のスライドファスナー用スライダー。
【発明の効果】
【０００９】
本発明のスライドファスナー用スライダーによれば、スライダー本体と、スライダー本体の第１及び第２引手取付柱間に配置され、一端に停止爪を有するばね部と、スライダー本体に取り付けられ、第１及び第２引手取付柱、及びばね部を被覆するカバー体と、を備えるため、第１及び第２引手取付柱、及びばね部が外部に露出しない。これにより、スライダーの外観性を向上することができると共に、手触りを良くすることができ、また、ばね部の意図しない変形を防止することができる。【００１０】
また、本発明のスライドファスナー用スライダーによれば、引手は、カム部を有し、引手をスライダー本体の一方側に平伏する平伏状態から起立状態に回動するとき、カム部を利用して、ばね部の弾性力により引手を平伏状態に戻す方向に付勢させており、起立状態からの引手の更なる回動を阻止し、引手がスライダー本体の他方側に平伏することを阻止する規制部を更に備えるため、引手の操作時を除いて、常に引手を一方側、例えば、後口側に平伏させた状態に保持することができる。また、引手が反対側、例えば、肩口側に倒れることを防止することができ、操作性を向上することができる。さらに、上記機能が簡素な構造によって達成されるため、スライダーを小型化及び軽量化することができる。また、スライダーを自動組立て装置で組み立てることも可能となる。
また、本発明のスライドファスナー用スライダーによれば、規制部は、引手に形成される引手側規制部と、カバー体に形成されるカバー体側規制部と、から構成され、引手側規制部とカバー体側規制部が当接することにより、引手の起立状態からの更なる回動を阻止するため、引手の過度の回動を確実に防止することができ、スライダーの操作性を向上することができる。
また、本発明のスライドファスナー用スライダーによれば、引手側規制部が引手の連結杆に設けられ、カバー体側規制部がカバー体の広幅部の肩部に設けられるため、特別な規制部材を配設することなく、引手の過度の回動を防止することができる。
【図面の簡単な説明】
【００１１】
【図１】本発明に係るスライドファスナー用スライダーの第１実施形態を説明する斜視図である。
【図２】図１のスライドファスナー用スライダーの上面図である。
【図３】図１のスライドファスナー用スライダーの分解斜視図である。
【図４】図３の引手のカム部の拡大縦断面図である。
【図５】図１のスライドファスナー用スライダーのカバー体を取り付ける前の状態の側面図である。
【図６】図１のスライドファスナー用スライダーの引手が平伏状態の時の側面図である。
【図７】図６のスライドファスナー用スライダーの縦断面図である。
【図８】図１のスライドファスナー用スライダーの引手が起立状態の時の側面図である。
【図９】図８のスライドファスナー用スライダーの縦断面図である。
【図１０】第１実施形態のスライドファスナー用スライダーの変形例を説明する側面図である。
【図１１】図１０のスライドファスナー用スライダーのカバー体を取り付ける前の状態の側面図である。
【図１２】本発明に係るスライドファスナー用スライダーの第２実施形態を説明する分解斜視図である。
【図１３】図１２のスライドファスナー用スライダーの引手が平伏状態の時の側面図である。
【図１４】図１３のスライドファスナー用スライダーの縦断面図である。
【図１５】図１２のスライドファスナー用スライダーの引手が起立状態の時の側面図である。
【発明を実施するための形態】
【００１２】
以下、本発明に係るスライドファスナー用スライダーの各実施形態について、図面に基づいて詳細に説明する。なお、以後の説明において、スライダーの幅が広い側であってファスナーエレメントが分離して出てくる側を肩口側とし、スライダーの幅が狭い側であってファスナーエレメントが噛合して出てくる側を後口側とする。また、肩口側を前、後口側を後ろとし、スライダーの摺動方向を前後方向、前後方向と直交且つ不図示のファスナーテープと平行な方向を左右方向（幅方向）、前後方向及び左右方向に直交する方向を上下方向とする。
【００１３】
（第１実施形態）
まず、図１〜図９を参照して、本発明に係るスライドファスナー用スライダーの第１実施形態について説明する。
【００１４】
本実施形態のスライドファスナー用スライダー１０（以下、単にスライダーとも言う）は、図１〜図３に示すように、スライダー本体１１と、引手１２と、ばね部１３と、カバー体１４と、を備える。
【００１５】
スライダー本体１１は、図３、図６、及び図７に示すように、上下方向に離間して並行に配置される上翼板１６及び下翼板１７と、この上下翼板１６，１７を連結する案内柱１９と、を備える。上下翼板１６，１７には、その左右側縁に沿って設けられ、上翼板１６に形成された上フランジと、下翼板１７に形成された下フランジからなる左右一対のフランジ１８が形成されている。案内柱１９は、上下翼板１６，１７を肩口側の幅方向中央部において連結しており、上下翼板１６，１７の間には、案内柱１９を分岐点としたＹ字形のエレメント案内路２３が形成されている。
【００１６】
スライダー本体１１の上翼板１６は、図３及び図５に示すように、上翼板１６の上面の略中央部に立設され、後述する引手１２の軸部４１を回動自在に保持する第１引手取付柱２０及び第２引手取付柱２１と、上翼板１６の上面の左右方向中央部に形成され、ばね部１３を挿入する挿入溝２２と、上翼板１６の上面の前端部において挿入溝２２を挟むように立設される左右一対の加締め部２４と、上翼板１６の上面の前端部及び後端部にそれぞれ立設され、カバー体１４を加締め固定する前側固定柱２５及び後側固定柱２６と、を有する。
【００１７】
前側固定柱２５の前面の左右両端部、及び後側固定柱２６の後面の左右両端部には、カバー体１４を加締め固定するための加締め凹部２５ａ，２６ａがそれぞれ形成されている。
【００１８】
第１及び第２引手取付柱２０，２１は、挿入溝２２の左右両側に突設される前後方向に沿って形成される一対の加締め突起２７をそれぞれ有しており、この前後の加締め突起２７間に引手１２の軸部４１が挿入された後、前後の加締め突起２７を互いに近づける方向に屈曲させて加締めることにより、引手１２の軸部４１が第１及び第２引手取付柱２０，２１に回動自在に取り付けられる。
【００１９】
挿入溝２２は、ばね部１３を安定して挿入できるようにばね部１３の幅寸法（左右方向の寸法）と同等の溝幅、又は同幅寸法よりも少し大きな溝幅を有している。また、図７に示すように、挿入溝２２の底面には、ばね部１３の形状に対応した段差が挿入溝２２の長さ方向に階段状に設けられている。さらに、挿入溝２２の後端部には、挿入溝２２内にばね部１３を配置したときに後述するばね部１３の停止爪１３ａを挿通することが可能な爪孔２８が、上翼板１６を上下方向に貫通して形成されている。
【００２０】
カバー体１４は、図１〜図３に示すように、上面視略Ｔ字状に形成されており、前端部に配置される広幅部３１と、広幅部３１の左右方向中央部から後方に延設される細幅部３２と、を有し、第１及び第２引手取付柱２０，２１、及びばね部１３を被覆している。
【００２１】
広幅部３１は、細幅部３２よりも左右方向に延びる前側天板３１ａと、前側天板３１ａの前端縁から下方に延びる前面板３１ｂと、前側天板３１ａの両側縁から下方に延びる左右一対の前側側面板３１ｃと、細幅部３２よりも幅方向外側に延設される広幅部３１の左右の肩部３３における前側天板３１ａの後端縁から下方にそれぞれ延びる側方後面板３１ｄと、を有する。また、広幅部３１を構成する輪郭は、上面視において、上翼板１６の前端部を構成する輪郭と同一形状に形成されている。ここで、上翼板１６の前端部とは、左右に形成される上下フランジ１８の前方側端部の間のことである。
【００２２】
細幅部３２は、前後方向に延びる後側天板３２ａと、後側天板３２ａの後端縁から下方に延びる後面板３２ｂと、後側天板３２ａの両側縁から下方に延びる左右一対の後側側面板３２ｃと、を有する。
【００２３】
また、図３及び図５に示すように、後面板３２ｂの下端縁の左右方向中央部には、下方に延びる突起３２ｄが形成されており、この突起３２ｄは、後側固定柱２６の左右方向中央部に形成される凹部２６ｂに嵌合する。また、左右の後側側面板３２ｃの前端部には、引手１２の軸部４１を挿通可能な挿通孔３２ｅがそれぞれ形成されている。また、後側天板３２ａの内面には、後述する引手１２のカム部４５により持ち上げられるばね部１３を回避する溝部３２ｆが形成されている。これにより、カバー体１４をできるだけ薄くすることができる。
【００２４】
また、図５に示すように、肩部３３の左右の側方後面板３１ｄには、引手１２の過度な回動を防止するカバー体側規制部３４がそれぞれ形成されており、このカバー体側規制部３４は、スライダー本体１１の前端部から後端部に向けて延びる後下りの傾斜面に形成されている。
【００２５】
そして、カバー体１４は、上翼板１６の前側固定柱２５及び後側固定柱２６に被せられた後、前面板３１ｂを前側固定柱２５の左右の加締め凹部２５ａに加締めると共に、後面板３２ｂを後側固定柱２６の左右の加締め凹部２６ａに加締めることにより、上翼板１６に固定される。
【００２６】
引手１２は、図３及び図４に示すように、中心軸を有する円柱状の軸部４１と、一端が軸部４１に連結される左右一対の連結杆４２と、左右一対の連結杆４２の他端に連結される操作部４３と、を有し、軸部４１、左右一対の連結杆４２、及び操作部４３により、略矩形状の引手開口部４４が画成される。
【００２７】
また、引手１２に外力が加わっていない状態においては、引手１２は、ばね部１３の弾性力により上翼板１６の上面と平行な状態となる位置、即ち、平伏状態に位置している。なお、本実施形態においては、後口側に引手１２が倒れている状態を平伏状態として説明しているが、必ずしも後口側である必要はなく、例えば、肩口側に引手１２が倒れるような構成とし、その状態を平伏状態とすることもできる。
【００２８】
また、軸部４１の軸方向中央には、中心軸を有する軸部４１よりも操作部４３に向かって膨出するカム部４５が延設されており、このカム部４５は、引手１２の上面側に形成される平坦面４５ａと、操作部４３と対向する面に形成される傾斜面４５ｂと、を有する。換言すれば、引手１２の開口部４４の内壁を構成する面に傾斜面４５ｂを有している。この傾斜面４５ｂは、引手１２の平伏状態において、引手１２の上面側から引手１２の下面側に向けて下り傾斜するように形成されている。ここで、傾斜面４５ｂの一部もしくは全てがばね部１３と接触可能なカム面４５ｃとして機能する。カム面４５ｃは、後述するばね部１３と協働して、引手１２を平伏状態に戻す方向に付勢する。また、カム面４５ｃは、傾斜面４５ｂの始点ＳＰと終点ＥＰの範囲内にあって、始点ＳＰとは、引手１２を回動したとき停止爪１３ａが上昇しはじめる点であり、終点ＥＰとは、引手１２を回動し、各規制部材３４，４６同士が接触し、引手１２がそれ以上回動しない点である。なお、傾斜面４５ｂは、湾曲面であっても直線状の面であってもよい。
【００２９】
また、左右の連結杆４２の前端部の上面には、側面視略三角形状の突起部である引手側規制部４６がそれぞれ形成されている。また、引手側規制部４６の前下りに傾斜する前面は、連結杆４２の前端部まで連続して形成されている。そして、引手側規制部４６は、カバー体側規制部３４と共に、規制部を構成し、引手側規制部４６がカバー体側規制部３４に当接することによって、引手１２の過度の回動を防止する。
【００３０】
ばね部１３は、ステンレス鋼などのばね板材をプレス成形することにより作製されており、図３及び図７に示すように、その後端部に形成され、スライダー本体１１の爪孔２８を介してエレメント案内路２３に出没可能な停止爪１３ａと、その前端部に形成され、スライダー本体１１の挿入溝２２に嵌入されるフック部１３ｂと、停止爪１３ａとフック部１３ｂとの間に形成され、引手１２の軸部４１及びカム部４５を上方から覆うカバー部１３ｃと、を有する。
【００３１】
そして、ばね部１３は、第１及び第２引手取付柱２０，２１間、及び挿入溝２２に挿入された後、上翼板１６の左右の加締め部２４を内側に屈曲させて加締めることにより、上翼板１６に固定される。また、停止爪１３ａは、引手１２が外力、例えば、人の手によって操作部４３をもって上方向に持ち上げられるように操作されると（起立状態）、カム面４５ｃでばね部１３が押し上げられ、エレメント案内路２３から脱出してスライダー１０の移動を許容し、引手１２が倒されると（平伏状態）、エレメント案内路２３に突入すると共に、エレメント案内路２３内に存在する不図示のファスナーエレメント間に突入して、スライダー１０の移動を阻止する。また、ばね部１３は、図７に示すように、フック部１３ｂの弾性力によって、カバー部１３ｃでカム部４５の平坦面４５ａのカム面４５ｃ側を上翼板１６側に弾性的に付勢して、引手１２の平伏状態を保持する。
【００３２】
このように構成されたスライドファスナー用スライダー１０では、図６及び図７に示すように、引手１２が後口側に倒れた平伏状態では、カム部４５の平坦面４５ａのカム面４５ｃ側がばね部１３のカバー部１３ｃによって上翼板１６側に押圧されているので、引手１２は、後口側に平伏する平伏状態に維持される。特に、カム部４５の平坦面４５ａのうち、前後方向中間位置よりも後方側のみがばね部１３のカバー部１３ｃに接触させていることが好ましく、そのように構成することで、ばね部１３の弾性力を引手１２に確実に付与することができるので、引手１２のブラツキを抑制することができる。また、上記のように引手１２が平伏状態にあるとき、引手１２の連結杆４２は上翼板１６の上面に重ねられ、引手１２の少なくとも連結杆４２の上面の位置が引手１２の軸部４１の上端以上であって、上翼板１６の上面以下となるように設定されている。また、このとき、ばね部１３の停止爪１３ａは、上翼板１６の爪孔２８を介してエレメント案内路２３に突入して、スライダー１０の移動を阻止する。
【００３３】
また、図８及び図９に示すように、平伏状態の引手１２が操作されて、軸部４１を中心に回動（図８中の時計回転方向）して起立状態になると、ばね部１３の弾性力に抗して、カム部４５のカム面４５ｃによってばね部１３が上方に押し上げられる。これにより、ばね部１３の停止爪１３ａは、エレメント案内路２３から脱出して、スライダー１０の移動を許容する。そして、引手１２の回動範囲は、引手側規制部４６がカバー体側規制部３４に当接するまでとなっている。
【００３４】
このとき、ばね部１３の弾性力は、引手１２のカム面４５ｃに作用しているので、引手１２は、常に引手１２が最初に平伏していた位置（本実施形態では後方側）に付勢されている。従って、引手１２を開放すると、引手１２は起立状態から反時計回転方向に回動して、後口側に平伏する平伏状態に戻される。
【００３５】
ここで、仮に、ばね部１３とカム面４５ｃとの接触位置が、カム面４５ｃの終点ＥＰを越え、且つ傾斜面４５ｂも越えた状態まで引手１２が回動可能に設計されていたとすると、引手１２は最初に平伏していた位置とは反対側、即ち、肩口側に平伏する状態となってしまうか、起立状態のまま、どちらの方向にも引手１２が倒れなくなってしまう。しかし、本実施形態では、引手１２の回動を阻止する規制部は、ばね部１３とカム面４５ｃとの接触位置が、傾斜面４５ｂの一部であるカム面４５ｃの始点ＳＰから終点ＥＰの範囲内に収まるように設定されている。よって、引手１２を、図８に示す起立状態から更に時計回転方向に回動させようとしても、引手１２の引手側規制部４６がカバー体側規制部３４に当接するので、起立状態からの引手１２の更なる回動が阻止され、引手１２の肩口側への平伏が阻止される。
【００３６】
以上説明したように、本実施形態のスライドファスナー用スライダー１０によれば、スライダー本体１１と、スライダー本体１１の第１及び第２引手取付柱２０，２１間に配置され、一端に停止爪１３ａを有するばね部１３と、スライダー本体１１に取り付けられ、第１及び第２引手取付柱２０，２１、及びばね部１３を被覆するカバー体１４と、を備えるため、第１及び第２引手取付柱２０，２１、及びばね部１３が外部に露出しない。これにより、スライダー１０の外観性を向上することができると共に、手触りを良くすることができ、また、ばね部１３の意図しない変形を防止することができる。
【００３７】
また、本実施形態のスライドファスナー用スライダー１０によれば、引手１２は、カム部４５を有し、引手１２をスライダー本体１１の後口側に平伏する平伏状態から起立状態に回動するとき、カム部４５を利用して、ばね部１３の弾性力により引手１２を平伏状態に戻す方向に付勢させており、起立状態からの引手１２の更なる回動を阻止し、引手１２がスライダー本体１１の肩口側に平伏することを阻止する引手側規制部４６及びカバー体側規制部３４を更に備えるため、引手１２の操作時を除いて、常に引手１２を後口側に平伏させた状態に保持することができる。また、引手１２が肩口側に倒れることを防止することができ、操作性を向上することができる。さらに、上記機能が簡素な構造によって達成されるため、スライダー１０を小型化及び軽量化することができる。また、スライダー１０を自動組立て装置で組み立てることも可能となる。
【００３８】
また、本実施形態のスライドファスナー用スライダー１０によれば、規制部は、引手１２に形成される引手側規制部４６と、カバー体１４に形成されるカバー体側規制部３４と、から構成され、引手側規制部４６とカバー体側規制部３４が当接することにより、引手１２の起立状態からの更なる回動を阻止するため、引手１２の過度の回動を確実に防止することができ、スライダー１０の操作性を向上することができる。
【００３９】
また、本実施形態のスライドファスナー用スライダー１０によれば、引手側規制部４６が引手１２の連結杆４２に設けられ、カバー体側規制部３４がカバー体１４の広幅部３１の肩部３３に設けられるため、特別な規制部材を配設することなく、引手１２の過度の回動を防止することができる。
【００４０】
また、本実施形態のスライドファスナー用スライダー１０によれば、カバー体１４の少なくとも案内柱１９側の前端部を構成する輪郭は、前記上翼板（１６）の前端部を構成する輪郭と同一形状に形成されるため、カバー体１４及びスライダー１０の外観性を向上することができる。
【００４１】
また、本実施形態のスライドファスナー用スライダー１０によれば、引手１２が平伏状態にあるとき、引手１２の少なくとも連結杆４２の上面の位置が引手１２の軸部４１の上端以上であって、カバー体１４の上面以下となるため、引手１２と合わせて、スライダー１０をフラットな形状とすることができる。
【００４２】
また、本実施形態のスライドファスナー用スライダー１０によれば、引手側規制部４６及びカバー体側規制部３４は、ばね部１３とカム部４５との接触位置が、カム部４５のカム面４５ｃの始点ＳＰから終点ＥＰの範囲内において、引手１２の回動を阻止するため、ばね部１３とカム部４５との接触位置が、カム面４５ｃから外れることがない。これにより、カム面４５ｃに作用するばね部１３の弾性力により、引手１２を後口側に平伏する平伏状態に確実に戻すことができる。
【００４３】
また、本実施形態のスライドファスナー用スライダー１０によれば、ばね部１３によってカム部４５の平坦面４５ａのカム面４５ｃ側が弾性的に付勢されるため、ばね部１３と平坦面４５ａとの接触位置が、ばね部１３を固定する加締め部２４から最も遠くなる。これにより、平坦面４５ａに作用するばね部１３の弾性力が最も強くなるので、引手１２を平伏状態に更に維持することができる。
【００４４】
（変形例）
なお、本実施形態の変形例として、図１０及び図１１に示すように、第１及び第２引手取付柱２０，２１の前後に、加締め突起２７ではなく、引手１２の前後方向の位置決めをするために使用される、前後方向に沿って突出する一対の位置決め突起２７Ａを形成してもよい。この場合、加締める必要が無いので、突起２７Ａの長さを短くすることができる。また、この場合、引手１２の軸部４１は、カバー体１４の左右の挿通孔３２ｅにより回動自在に支持される。
【００４５】
そして、本変形例によれば、第１及び第２引手取付柱２０，２１を加締めなくてよい分、製造工程を簡略化することができる。また、カバー体１４を薄くすることができるので、スライダー１０を更に小型化及び軽量化することができる。
【００４６】
（第２実施形態）
次に、図１２〜図１５を参照して、本発明に係るスライドファスナー用スライダーの第２実施形態について説明する。なお、第１実施形態と同一又は同等部分については、図面に同一符号を付してその説明を省略或いは簡略化する。
【００４７】
本実施形態では、図１２及び図１３に示すように、引手１２の左右の連結杆４２の前端部の上面には、側面視略台形状の突起部である引手側規制部５６がそれぞれ形成されている。また、引手側規制部５６の略垂直に延びる前面は、連結杆４２の前端部まで連続して形成されている。そして、引手側規制部５６は、スライダー本体１１の上翼板１６の上面と共に、規制部を構成し、引手側規制部５６が上翼板１６の上面に当接することによって、引手１２の過度の回動を防止する（図１５参照）。
【００４８】
また、本実施形態では、上記第１実施形態のカバー体１４の代わりに、図１２に示すカバー体６０を使用しており、このカバー体６０は、上記第１実施形態のカバー体１４から左右の肩部３３を削除した形状を有し、第１及び第２引手取付柱２０，２１、及びばね部１３を被覆している。
【００４９】
カバー体６０は、上面視長方形状に形成されており、前後方向に延びる天板６１と、天板６１の前端縁から下方に延びる前面板６２と、天板６１の後端縁から下方に延びる後面板６３と、天板６１の両側縁から下方に延びる左右一対の側面板６４と、を有する。
【００５０】
また、図１２及び図１４に示すように、後面板６３の下端縁の左右方向中央部には、後側固定柱２６の凹部２６ｂに嵌合する突起６３ａが下方に向かって形成されている。また、左右の側面板６４の中間部には、引手１２の軸部４１を挿通可能な挿通孔６４ａがそれぞれ形成されている。また、天板６１の内面には、引手１２のカム部４５により持ち上げられるばね部１３を回避する溝部６１ａが形成されている。これにより、カバー体６０をできるだけ薄くすることができる。
【００５１】
そして、カバー体６０は、上翼板１６の前側固定柱２５及び後側固定柱２６に被せられた後、前面板６２を前側固定柱２５の左右の加締め凹部２５ａに加締めると共に、後面板６３を後側固定柱２６の左右の加締め凹部２６ａに加締めることにより、上翼板１６に固定される。
その他の構成及び作用効果については、上記第１実施形態と同様である。
【００５２】
その他、本発明のスライドファスナー用スライダーは、本件技術内容を超えない範囲で適時設計変更可能である。
例えば、上記各実施形態では、引手のカム部は軸部の一部に形成されているが、これに限定されず、軸部全体にカム部を形成してもよい。
【符号の説明】
【００５３】
１０    スライドファスナー用スライダー
１１    スライダー本体
１２    引手
１３    ばね部
１３ａ  停止爪
１４    カバー体
１６    上翼板
１７    下翼板
１９    案内柱
２０    第１引手取付柱
２１    第２引手取付柱
２５    前側固定柱
２６    後側固定柱
３１    広幅部
３１ａ  前側天板
３１ｂ  前面板
３１ｃ  前側側面板
３１ｄ  側方後面板
３２    細幅部
３２ｅ  挿通孔
３３    肩部
３４    カバー体側規制部
４１    軸部
４２    連結杆
４３    操作部
４５    カム部
４５ａ  平坦面
４５ｂ  傾斜面
４５ｃ  カム面
４６    引手側規制部（突起部）
５６    引手側規制部（突起部）
ＳＰ    始点
ＥＰ    終点
【図１】
0005898680.tif 000002
【図２】
0005898680.tif 000003
【図３】
0005898680.tif 000004
【図４】
0005898680.tif 000005
【図５】
0005898680.tif 000006
【図６】
0005898680.tif 000007
【図７】
0005898680.tif 000008
【図８】
0005898680.tif 000009
【図９】
0005898680.tif 000010
【図１０】
0005898680.tif 000011
【図１１】
0005898680.tif 000012
【図１２】
0005898680.tif 000013
【図１３】
0005898680.tif 000014
【図１４】
0005898680.tif 000015
【図１５】
0005898680.tif 000016